(57)【要約】【課題】押ボタンが押圧される際に囲み部材と擦れて異音が発生することを防止することができ、また、囲み部材本来の機能を発揮することができる押ボタン装置を提供する。【解決手段】囲み部材１２の凸部１２１ａ，１２１ａを基板１３の嵌合溝１３ａに嵌合させる。囲み部材１２の幅Ｌが一定に保たれ、規制される。よって、囲み部材１２の成型時に変形やソリ等が生じていたり、囲み部材１２が組立後にストレスを受けて変形、ソリ等を生じても、囲み部材１２の幅Ｌは一定に保たれる。【選択図】  図１
2007200574.tif 000002
【特許請求の範囲】
【請求項１】
パネルの背面側に配置され、
押ボタンと、該押ボタンにより押圧可能なスイッチと、該スイッチが設けられた基板と、前記押ボタンを囲み、前記パネルと前記基板との間に挟持されるとともに少なくとも一対の側板を有する開口された囲み部材とを備え、
前記囲み部材の一対の側板は、少なくとも前記基板及び前記パネルの一方に前記一対の側板間の間隔が規制されるように取り付けられることを特徴とする押ボタン装置。
【請求項２】
前記囲み部材の一対の側板には凸部が形成され、
少なくとも前記基板及び前記パネルの一方には、前記囲み部材の凸部と嵌合する凹部が形成されていることを特徴とする請求項１に記載の押ボタン装置。
【請求項３】
前記囲み部材の一対の側板には凹部が形成され、
少なくとも前記基板及び前記パネルの一方には、前記囲み部材の凹部と嵌合する凸部が形成されていることを特徴とする請求項１に記載の押ボタン装置。
【請求項４】
前記囲み部材または前記少なくとも基板及びパネルの一方の凸部を構成する角部は、面取りされ、または、曲面が形成されていることを特徴とする請求項２または３に記載の押ボタン装置。
【請求項５】
複数の押ボタンを備え、
前記囲み部材は、該複数の押ボタンをそれぞれ囲んで連続して形成されたことを特徴とする請求項１乃至３のいずれか１項に記載の押ボタン装置。
【請求項６】
光源基板とともにパネルの背面側に配置され、
押ボタンと、該押ボタンにより押圧可能なスイッチと、該スイッチが設けられた基板と、前記押ボタンを囲み、前記パネルと前記基板との間に挟持されるとともに少なくとも一対の側板を有する開口された板状部材からなる囲み部材とを備え、
前記囲み部材の一対の側板は、前記光源基板に嵌合されることを特徴とする押ボタン装置。
【発明の詳細な説明】
【技術分野】
【０００１】
本発明は、例えばオーディオ機器等の電気機器に用いられる押ボタン装置に関する。
【背景技術】
【０００２】
オーディオ機器等の電気機器のパネルには諸操作をするための押ボタン装置が用いられることがある。このような押ボタン装置として、特許文献１に示すように、ＬＥＤ(Light Emitting Diode)等の光が漏洩することを防止するために押ボタンの周りに囲み部材である光遮蔽部材を設けたものがある。この光遮蔽部材により、光の漏洩を防止することにより、押ボタンの視認性、操作性、デザイン性等を保持することができる。
【０００３】
また、光遮蔽部材は、複数の押ボタンが連結されている場合には、隣接する押ボタン間に配置されることにより、隣接する押ボタンへの光の漏洩を防止するとともに、押ボタン間の連動を防止する連動防止部材の役割も果たす。
【０００４】
このような光遮蔽防止部材(兼連動防止部材)を有する押ボタン装置の一例を図５に示す。なお、図５においては、一方のパネル１０３の開口部１０３ａについては省略している。この押ボタン装置１００では、複数の押ボタン１０１が光遮蔽防止部材１０２を介して連結されている。押ボタン１０１は、弾性を有するヒンジ１０１ａを介して基板１０４側へと押圧される。押ボタン１０１が指で押圧されることにより、基板１０４に設けられた図示しないタクトスイッチを押圧して、タクトスイッチが閉じられる。
【０００５】
光遮蔽防止部材１０２は、それぞれの押ボタン１０１を三方から囲むコ字状の板状部材が連続した部材である。光遮蔽防止部材１０２は、押ボタン１０１の上方側(天板側)が開口されている。光遮蔽防止部材１０２の上方が開口されているのは、他部材の設置や押ボタン１０１の構造等による制約のためである。
【０００６】
各押ボタン１０１の操作表示側部分が、パネル１０３の開口部１０３ａから突出するように配置され、光遮蔽防止部材１０２が、パネル１０３と基板１０４との間に挟持されることにより、押ボタン装置１００は電気機器に組み付けられる。
【特許文献１】特開２００２−２７９８５９号公報
【発明の開示】
【発明が解決しようとする課題】
【０００７】
しかしながら、図５に示した押ボタン装置１００では、リブ部材である光遮蔽防止部材１０２が成形時に変形したり、組み付け後に傾いたりした場合に、押ボタン１０１が押圧されると光遮蔽防止部材１０２と擦れて異音が発生してしまう場合があった。
【０００８】
また、光遮蔽防止部材(兼連動防止部材)１０２がうまく機能せずに、近接する押ボタン１０１が連動してしまったり、隣接する押ボタン１０１への光漏れが生じてしまったりする場合があった。さらに、光遮蔽防止部材１０２の変形を抑制することができないために、パネル１０３の開口部１０３ａから突出する押ボタン１０１の操作表示側部分が傾いてしまい、押ボタン１０１が操作しづらくなる場合があった。
【０００９】
本発明は、上記実情に鑑みてなされたもので、押ボタンが押圧される際に囲み部材と擦れて異音が発生することを防止することができ、また、囲み部材本来の機能を発揮することができる押ボタン装置を提供することを目的とする。
【課題を解決するための手段】
【００１０】
上記目的を達成するため、本発明の押ボタン装置は、
パネルの背面側に配置され、
押ボタンと、該押ボタンにより押圧可能なスイッチと、該スイッチが設けられた基板と、前記押ボタンを囲み、前記パネルと前記基板との間に挟持されるとともに少なくとも一対の側板を有する開口された囲み部材とを備え、
前記囲み部材の一対の側板は、少なくとも前記基板及び前記パネルの一方に前記一対の側板間の間隔が規制されるように取り付けられることを特徴とする。
【００１１】
また、前記囲み部材の一対の側板には凸部が形成され、
少なくとも前記基板及び前記パネルの一方には、前記囲み部材の凸部と嵌合する凹部が形成されるようにしてもよい。
【００１２】
また、  前記囲み部材の一対の側板には凹部が形成され、
少なくとも前記基板及び前記パネルの一方には、前記囲み部材の凹部と嵌合する凸部が形成されるようにしてもよい。
【００１３】
また、前記囲み部材または前記少なくとも基板及びパネルの一方の凸部を構成する角部は、面取りされ、または、曲面が形成されるようにしてもよい。
【００１４】
また、複数の押ボタンを備え、
前記囲み部材は、該複数の押ボタンをそれぞれ囲んで連続して形成されるようにしてもよい。
【００１５】
また、上記目的を達成するため、本発明の他の押ボタン装置は、
光源基板とともにパネルの背面側に配置され、
押ボタンと、該押ボタンにより押圧可能なスイッチと、該スイッチが設けられた基板と、前記押ボタンを囲み、前記パネルと前記基板との間に挟持されるとともに少なくとも一対の側板を有する開口された板状部材からなる囲み部材とを備え、
前記囲み部材の一対の側板は、前記光源基板に嵌合されることを特徴とする。
【発明の効果】
【００１６】
本発明によれば、押ボタンが押圧される際に囲み部材と擦れて異音が発生することを防止することができ、また、囲み部材本来の機能を発揮することができる。
【発明を実施するための最良の形態】
【００１７】
以下、本発明の実施の形態について図面を参照して詳細に説明する。
【００１８】
［第１の実施の形態］
本発明の第１の実施の形態に係る押ボタン装置１０は、図１に示すように、電気機器のパネル２０の背面側に配置される。押ボタン装置１０は、複数の押ボタン１１と、それぞれの押ボタン１１を三方から囲む連続した囲み部材１２と、基板１３と、押ボタン１１により押圧可能なタクトスイッチ１４とを備えている。
【００１９】
押ボタン１１は、押圧されることによって、電気機器に所定の操作を行わせるためのものである。それぞれの押ボタン１１は、一体的に形成され、押圧部１１ａと、押ボタン１１の破壊防止のためのストッパー１１ｂと、ヒンジ１１ｃとから構成されている。
【００２０】
押圧部１１ａには、オペレータに指で押圧される表面に操作の説明記号等が印字されており、裏面には２つのストッパー１１ｂが形成されている。ヒンジ１１ｃは、押ボタン１１を弾性的に支持する一対の弾性部材から構成されている。ヒンジ１１ｃにより弾性支持により押ボタン１１は押圧されることや、もとの状態に戻ることが可能となっている。
【００２１】
囲み部材１２は、押ボタン１１と一体的に形成されており、また、連続して形成されている。囲み部材１２は、隣接する押ボタン１１へＬＥＤ等の光が漏洩することを防止する光遮蔽部材であるとともに、隣接する押ボタン１１間に配置されることにより押ボタン１１間の連動を防止する連動防止部材である。
【００２２】
囲み部材１２は、押ボタン１１の上方側が開口されており、側板１２ａ，１２ａと底板１２ｂとから構成されている。囲み部材１２が開口されているのは、他部材の設置や押ボタン１１の構造等による制約のためである。側板１２ａ，１２ａには、押ボタン１１の上方側、かつ、基板１３側に凸部１２１ａ，１２１ａが形成されている。なお、底板１２ｂにはヒンジ１１ｃが立設されている。
【００２３】
基板１３には、複数のタクトスイッチ１４が設けられている。タクトスイッチ１４は、押ボタン１１の裏面により押圧可能な位置に設けられている。また、基板１３には操作対象に接続されたハーネス等が接続されている。
【００２４】
基板１３には、囲み部材１２の凸部１２１ａ，１２１ａを嵌合させるための嵌合溝１３ａが端縁から切り欠き状に形成されている。囲み部材１２の凸部１２１ａ，１２１ａを基板１３の嵌合溝１３ａに嵌合することにより、囲み部材１２の幅Ｌ(一対の側板１２ａ，１２ａ間の間隔)が規制される。
【００２５】
押ボタン装置１０をパネル２０の裏面に組み付けるには、囲み部材１２の凸部１２１ａ，１２１ａを嵌合溝１３ａに嵌合させるとともに、押ボタン１１の押圧部１１ａの表面側の操作表示部分をパネル２０の開口部２０ａから突出させて、囲み部材１２をパネル２０の裏面と基板１３との間に挟持させる。なお、図１においては、わかりやすくするために２つの押ボタン１１のうち一方についてのみ開口部２０ａを表しており、他方の押ボタン１１の開口部については省略している。
【００２６】
このように本実施の形態の押ボタン装置１０では、囲み部材１２の凸部１２１ａ，１２１ａを基板１３の凹部である嵌合溝１３ａに嵌合させて、一対の側板１２ａ，１２ａを基板１３に取り付けるようにしたので、囲み部材１２の幅Ｌが一定に保たれ、規制される。よって、囲み部材１２の成型時に変形やソリ等が生じていたり、囲み部材１２が組立後にストレスを受けて変形、ソリ等を生じても、一対の側板１２ａ，１２ａ間の間隔である囲み部材１２の幅Ｌは一定に保たれる。
【００２７】
したがって、本実施の形態の押ボタン装置１０では、押ボタン１１が押圧されて囲み部材１２と擦れて異音が発生することを防止することができる。また、囲み部材１２は、隣接する押ボタン１１間の連動を防止するとともに、隣接する押ボタン１１へ光が漏れることを防止するという本来の機能を発揮することができる。また、パネル２０の開口部２０ａから突出する押ボタン１１の押圧部１１ａの操作表示部分側が傾くことを防止することができる。
【００２８】
［第２の実施の形態］
本発明の第２の実施の形態に係る押ボタン装置３０は、図２に示すように、囲み部材１２の凸部１２１ａ，１２１ａの構成のみが第１の実施の形態と異なり、その他の構成は第１の実施の形態と同様である。したがって、以下、第１の実施の形態と異なる点についてのみ説明し、その他の説明は省略する。なお、図２においては、第１の実施の形態と同様な構成については同一の符号を付し、また、パネル２０を省略するとともに、一つの押ボタン１１の周辺についてのみ表すこととする。
【００２９】
囲み部材１２の凸部１２１ａ，１２１ａを構成する角部１２２ａは、４５度の傾斜に面取りされている。本実施の形態では、このように囲み部材１２の凸部１２１ａ，１２１ａの角部１２２ａを面取りすることによって、囲み部材１２の凸部１２１ａ，１２１ａを基板１３の嵌合溝１３ａへの嵌合する作業が容易になる等、押ボタン装置３０の組立作業を能率化することができる。
【００３０】
［第３の実施の形態］
本発明の第３の実施の形態に係る押ボタン装置４０は、図３に示すように、基板１３の構成のみが第２の実施の形態と異なり、その他の構成は第２の実施の形態と同様である。したがって、以下、第２の実施の形態と異なる点についてのみ説明し、その他の説明は省略する。なお、図３においては、第２の実施の形態と同様な構成については同一の符号を付して表すこととする。
【００３１】
基板１３には、端縁からの切り欠き形状である嵌合溝１３ａの代わりに、囲み部材１２の凸部１２１ａ，１２１ａを嵌合させるための嵌合孔１３ｂが端縁から所定の距離離れた位置に形成されている。
【００３２】
本実施の形態では、第２の実施の形態における基板１３の嵌合溝１３ａの代わりに、基板１３の端縁から所定の距離離れた位置に形成された嵌合孔１３ｂに囲み部材１２の凸部１２１ａ，１２１ａを嵌合するようにしたので、第２の実施の形態と同様の効果を得ることができる。
【００３３】
［第４の実施の形態］
本発明の第４の実施の形態に係る押ボタン装置５０は、図４に示すように、パネル２０に囲み部材１２を嵌合させるものであり、その他の構成は基本的に第１の実施の形態と同様である。したがって、以下、第１の実施の形態と異なる点についてのみ説明し、その他の説明は省略する。なお、図４においては、第１の実施の形態と同様な構成については同一の符号を付し、また、一つの押ボタン１１の周辺についてのみ表すこととする。なお、本実施形態の押ボタン１１は押圧部１１ｄの厚さが厚い形状になっている。
【００３４】
本実施形態の囲み部材１２の側板１２ａ，１２ａには、押ボタン１１の上方側、かつ、パネル２０側に凸部１２３ａ，１２３ａが形成されている。パネル２０には、囲み部材１２の凸部１２３ａ，１２３ａを嵌合させるための嵌合溝２０ｂ，２０ｂが端縁から切り欠き状に形成されている。
【００３５】
このように本実施の形態では、第１の実施の形態のように囲み部材１２を基板１３に嵌合させる代わりに、囲み部材１２の凸部１２３ａ，１２３ａをパネル２０に形成された凹部である嵌合溝２０ｂ，２０ｂに嵌合するようにしたので、第１の実施の形態と同様の効果を得ることができる。
【００３６】
以上、実施形態を挙げて本発明を説明したが、本発明は上記各実施形態に限定されるものではなく、種々変形が可能である。例えば、本実施の形態では、押ボタン１１を２つ備える例について説明したが、１つのみ備えるようにしてもよいし、３つ以上備えるようにしてもよい。なお、押ボタン１１が１つのみの場合には、囲み部材１２は光遮蔽防止部材としての役割を果たす。
【００３７】
また、上記実施の形態では、囲み部材１２の角部１２２ａを面取りする例について説明したが、曲面を形成するようにしてもよい。
【００３８】
また、上記実施の形態では、凸部１２１ａ，１２１ａを角形に形成する例について説明したが、円柱状に形成するようにしてもよい。
【００３９】
また、上記実施の形態では、囲み部材１２を基板１３またはパネル２０に嵌合する例について説明したが、囲み部材１２は、基板１３及びパネル２０の両方に嵌合するようにしてもよい。
【００４０】
また、上記実施の形態では、パネル２０に切り欠き形状の嵌合溝２０ｂを形成する例について説明したが、パネル２０に端縁から所定の距離離れた位置に形成された嵌合孔を形成するようにしてもよい。
【００４１】
また、上記実施の形態では、囲み部材１２を凸側、基板１３またはパネル２０を凹側とする例について説明したが、囲み部材１２に嵌合溝、嵌合孔等の凹部を形成して、少なくとも基板１３及びパネル２０のいずれか一方に囲み部材１２の凹部と嵌合する凸部を形成するようにしてもよい。なお、この少なくとも基板１３及びパネル２０のいずれか一方の凸部の角部を面取りしてもよいし、曲面を形成してもよい。
【００４２】
また、上記実施の形態では、囲み部材１２を基板１３またはパネル２０と嵌合させる例について説明したが、囲み部材１２を、パネルの背面側に配置されるとともに、パネルを照光するためのＬＥＤが設けられたＬＥＤ基板と嵌合させるようにしてもよい。
【００４３】
また、上記実施の形態では、囲み部材１２の上方側が開口された例について説明したが、囲み部材１２は、上方側に限らず下方側が開口されていても本発明は適用できる。
【００４４】
また、上記実施の形態では、囲み部材１２の側板１２ａの上方側に凸部１２１ａ，１２１ａまたは凸部１２３ａ，１２３ａを形成する例について説明したが、例えば側板１２ａの下方側、中央付近等、側板１２ａのいずれの部分に凸部を形成してもよい。
【図面の簡単な説明】
【００４５】
【図１】本発明の第１の実施形態に係る押ボタン装置及びパネルの概略構成を表す斜視図である。
【図２】本発明の第２の実施形態に係る押ボタン装置の概略構成を表す一部省略斜視図である。
【図３】本発明の第３の実施形態に係る押ボタン装置の概略構成を表す一部省略斜視図である。
【図４】本発明の第４の実施形態に係る押ボタン装置及びパネルの概略構成を表す一部省略斜視図である。
【図５】従来の押ボタン装置及びパネルの概略構成を表す斜視図である。
【符号の説明】
【００４６】
１０，３０，４０，５０  押ボタン装置
１１      押ボタン
１２      囲み部材
ｔ        囲み部材の厚さ
１２ａ    側板
１２ｂ    底板
１２１ａ，１２３ａ  凸部
１２２ａ  角部
１３      基板
１３ａ    嵌合溝
１３ｂ    嵌合孔
２０      パネル
２０ａ    開口部
２０ｂ    嵌合溝
【図１】
2007200574.tif 000003
【図２】
2007200574.tif 000004
【図３】
2007200574.tif 000005
【図４】
2007200574.tif 000006
【図５】
2007200574.tif 000007